(57)【要約】【課題】  被包装体が食品であっても衛生的に安全に包装できる一方で、開くことが簡単で容易に行え、構造簡単にして製作コストが安価で済む包装材を提供すること。【解決手段】  被包装体に巻装されて包装可能な包装材において、シート状樹脂フィルム１における前記巻装方向と直交する方向に沿う一側縁１ｃに、当該一側縁１ｃの端縁１ｄから適宜間隔幅ｈを有する側縁部２と、この側縁部２の内側の剥離テープ４が剥がし可能な接着剤層３を、前記一側縁１ｃに沿い平行状に形成し、接着剤層３上に剥離テープ４を貼設し、前記側縁部２の長手方向の中間部位に二本の切れ目線５を前記端縁１ｄから接着剤層３および剥離テープ４の一部まで切れ込み設け、この二本の切れ目線５間の側縁部分を摘み片部６とし、この摘み片部６を前記巻装方向と反対方向に引くことで樹脂フィルム１を分断可能に形成してある。【選択図】  図１
0003126865.tif 000002
【実用新案登録請求の範囲】
【請求項１】
被包装体に巻装されて包装可能な包装材において、シート状樹脂フィルムにおける前記巻装方向と直交する方向に沿う一側縁に、当該一側縁の端縁から適宜間隔幅を有する側縁部と、この側縁部の内側の剥離テープが剥がし可能な接着剤層を、前記一側縁に沿い平行状に形成し、接着剤層上に前記剥離テープを貼設し、前記側縁部の長手方向の中間部位に二本の切れ目線を前記端縁から接着剤層および剥離テープの一部まで切れ込み設け、この二本の切れ目線間の側縁部分を摘み片部とし、この摘み片部を前記巻装方向と反対方向に引くことで樹脂フィルムを分断可能に形成してあることを特徴とする包装材。
【考案の詳細な説明】
【技術分野】
【０００１】
本考案は、食品あるいは非食品等の被包装体の包装に有用な包装材に関する。
【背景技術】
【０００２】
たとえば特許文献１に記載されている包装体がある。この包装体は、海苔と棒状握飯を分離して包装するもので、幅方向略中央部にミシン目による分断手段を有する外フィルム及び内フィルムからなり、両フィルム間に海苔を収納すると共に外周縁を加熱溶着した包装シート本体と、該包装シート本体の長手方向両側縁に溶着された棒状握飯の両端部を被包する長方形状の被包片とから構成されたものである。
そして、海苔と棒状握飯を分離して包装した後、最後に巻き付けた包装シートの端部をラベルで封緘することで包装体を形成しているものである。
このように包装された海苔と棒状握飯を食する際には、ラベルを剥離した後、包装シート本体の両側端縁を両手で把持して両側方向に引っ張ることにより、外フィルム及び内フィルムはミシン目から両側方向に分割されることとなって、海苔を棒状握飯の周面に巻き付けて巻き寿司とすることが出来るものである。
ところが、包装シートの分断作業を行う前に先ずラベルを剥離あるいは分断する作業、即ち包装体の封緘解除作業が必要であることによって、食するまでに時間がかかり、消費者にとってはその取り扱いが非常に面倒であり、スムーズで迅速な開封が行えないでいる。
また、被包装体が食品である場合、安全衛生上からラベルによる封緘が必須である。
【特許文献１】実開平６３−１６１１７２号公報
【考案の開示】
【考案が解決しようとする課題】
【０００３】
解決しようとする課題は、被包装体が食品であっても衛生的に安全に包装できる一方で、開けることが簡単で容易に行え、構造簡単にして製作コストが安価で済む包装材を提供することにある。
【課題を解決するための手段】
【０００４】
本考案では前記した課題を達成するため、被包装体に巻装されて包装可能な包装材において、シート状樹脂フィルムにおける前記巻装方向と直交する方向に沿う一側縁に、当該一側縁の端縁から適宜間隔幅を有する側縁部と、この側縁部の内側の剥離テープが剥がし可能な接着剤層を、前記一側縁に沿い平行状に形成し、接着剤層上に前記剥離テープを貼設し、前記側縁部の長手方向の中間部位に二本の切れ目線を前記端縁から接着剤層および剥離テープの一部まで切れ込み設け、この二本の切れ目線間の側縁部分を摘み片部とし、この摘み片部を前記巻装方向と反対方向に引くことで樹脂フィルムを分断可能に形成してあることを特徴とする。
本考案における樹脂フィルムは、ポリプロピレン製等の公知の樹脂フィルムでよい。この樹脂フィルムは、摘み片部が包装時の巻装方向と反対方向に引かれることで、巻装方向と直交する方向に分断しやすい性質を有するものが適している。また、樹脂フィルムは防曇作用を有するものであってもよいし、そうでなくともよい。かかる樹脂フィルムは、被包装体を包装可能な長さの定尺状のものになるが、当該定尺状にカットされる連続長尺状（一般的にはロール状に巻かれる）のものも含まれる。
接着剤層は、両面接着テープを貼着して形成するタイプであってもよいし、接着剤を塗布して形成するタイプのものであってもよく、その他の公知の形成手段のいずれによるものでもよい。この接着剤層は、同層に貼着される剥離テープを同層から引き剥がし可能なものであればよい。
二本の切れ目線の間隔は摘み片部を指先でつまみ易いように形成するのがよい。側縁部における摘み片部は長手方向に複数形成してもよく、この場合、樹脂フィルムの分断箇所が複数になることで、任意の長さに分断し得ることになる。
【考案の効果】
【０００５】
Ａ．請求項１により、被包装体が食品であっても衛生的に安全に包装できる一方で、切れ目線が端縁から感圧性接着剤層および剥離テープの一部まで切れ込み設けられていることにより、摘み片部を引くことで開けることが簡単で容易に行える。そして、構造簡単であるから製作コストが安価に済む。
【考案を実施するための最良の形態】
【０００６】
図１および図２には本考案の包装材における実施の１形態を例示しており、シート状樹脂フィルム１は表フィルム１ａと裏フィルム１ｂからなる二層構造の縦切れ（図面上で上下方向）し易い性質を有するポリプロピレン製のものである。
この横長矩形状の樹脂フィルム１裏面における包装時の巻装方向（図面上で上下方向）と直交する方向（図面上で左右方向）に沿う上側縁１ｃには、当該上側縁１ｃの端縁１ｄから適宜間隔幅ｈを有する上側縁部２と、この上側縁部２の下側の感圧性接着剤層３を、前記上側縁１ｃに沿い上下平行状に並設して形成してある。
感圧性接着剤層３上には、剥離テープ４を引き剥がし可能に貼設し、側縁部２の長手方向のほぼ中間部位に二本の切れ目線５を端縁１ｄから感圧性接着剤層３および剥離テープ４の一部まで切れ込み設けてある。
この二本の切れ目線５間の側縁部分は摘み片部６とし、この摘み片部６を被包装体１０の包装時の巻装方向と反対方向（図面上で下方向）に引くことで樹脂フィルム１を左右に分断可能に形成してある。
また、摘み片部６には同片部の引き方向を示す矢印７を表示し、樹脂フィルム１面には摘み片部６による開き状態をイラスト８で表示してあり、開き作業をし易いようにしてある。
【０００７】
次に、本考案の包装材による被包装体の包装例を前記した図１の包装材で説明する。
図３には、被包装体１０に樹脂シート１を巻装した後、感圧性接着剤層３上から剥離テープ４を引き離し、下側縁部９表面側に折り返した上側縁部２における感圧性接着剤層３を当該下側縁部９表面に貼着して閉じてある。この閉じ状態にある筒状の樹脂シート１における左右の両端部は熱シール等して密閉してもよいし、閉じずに開いたままにしてもよい。また、当該両端部を折りたたみ、接着テープ等で仮止めするようにしてもよい。
これにより、開き時には、摘み片部６を矢印方向１１に引くことで、筒状になっている樹脂シート１を二分して離せることになり、被包装体１０を取り出すことが可能になる。また、片方の樹脂シート１部分を握り持ち、摘み片部６を引いて他方の樹脂シート１部分を除いて、一部の被包装体１０を表出させることも可能である。
【０００８】
図４には、他の包装例を示し、被包装体１０に樹脂シート１を巻装した後、感圧性接着剤層３上から剥離テープ４を引き離し、下側縁部９裏面側に折り返した上側縁部２における感圧性接着剤層３を当該下側縁部９裏面に貼着して閉じてある。この閉じ状態にある筒状の樹脂シート１における左右の両端部は熱シール等して密閉してもよいし、閉じずに開いたままにしてもよい。また、当該両端部を折りたたみ、接着テープ等で仮止めするようにしてもよい。
これにより、開き時には、摘み片部６を矢印方向１２に引くことで、筒状になっている樹脂シート１を二分して離せることになり、被包装体１０を取り出すことが可能になる。また、片方の樹脂シート１部分を握り持ち、摘み片部６を引いて他方の樹脂シート１部分を除いて、一部の被包装体１０を表出させることも可能である。
【図面の簡単な説明】
【０００９】
【図１】本考案の包装材における実施の１形態を例示している裏面図。
【図２】同側面図。
【図３】本考案の包装材による包装例を例示している縦断側面図。
【図４】本考案の包装材による他の包装例を例示している縦断側面図。
【符号の説明】
【００１０】
１  樹脂フィルム
１ａ  表フィルム
１ｂ  裏フィルム
１ｃ  上側縁（一側縁）
１ｄ  端縁
ｈ  間隔幅
２  上側縁部（側縁部）
３  接着剤層（感圧性接着剤層）
４  剥離テープ
５  切れ目線
６  摘み片部
７  矢印
８  イラスト
９  下側縁部
１０  被包装体
１１，１２  矢印方向
【図１】
0003126865.tif 000003
【図２】
0003126865.tif 000004
【図３】
0003126865.tif 000005
【図４】
0003126865.tif 000006